(57)【要約】【課題】  大きな設置スペースを要せず、取り扱いが容易で、セキュリティ上も適切に管理可能なカード集積装置を提供すること。【解決手段】  カード取扱装置に設置され、この装置により取り扱われるカードを集積するカード集積装置であって、ケース３１内に、所定形状のカードＰを傾斜状態で所定枚数集積する。このケース３１の上部には、このケース３１内とカード取扱装置のカード搬送部２４との間で、カードＰを１枚ずつ前記傾斜方向に沿って搬送する上下一対のローラ３４を設ける。ケース３１内には、カードＰを傾斜状態で載支するバックアッププレート２８を設け、このバックアッププレート２８を上下駆動機構３６によりカードの集積枚数に応じて上下動させている。【選択図】図１
2006137520.tif 000002
【特許請求の範囲】
【請求項１】
カード取扱装置に設置され、この装置により取り扱われるカードを集積するカード集積装置であって、
所定形状の前記カードを傾斜状態で所定枚数集積可能な内容積を有するケースと、
このケース上部に設けられ、このケース内と前記カード取扱装置のカード搬送部との間で、カードを１枚ずつ前記傾斜方向に沿って搬送する上下一対のローラと、
前記ケース内において前記カードを傾斜状態で載支するバックアッププレートと、
このバックアッププレートを前記ケース内においてカードの集積枚数に応じて上下動させる上下駆動機構と
を備えたことを特徴とするカード集積装置。
【請求項２】
ケース上部に設けられた上下一対のローラ近くに設けられ、この一対のローラによるカード搬送路を開閉可能なシャッターを有することを特徴とする請求項１に記載のカード集積装置。
【請求項３】
カード取扱装置からのケースの取り外しに伴い、バックアッププレートの上下動をロックするロック機構を設けたことを特徴とする請求項１に記載のカード集積装置。
【請求項４】
ロック機構によるバックアッププレートのロック状態を任意に解除可能な解除機構を設けたことを特徴とする請求項３に記載のカード集積装置。
【請求項５】
少なくともカードの集積枚数を保存可能なメモリを実装したことを特徴とする請求項１に記載のカード集積装置。
【発明の詳細な説明】
【技術分野】
【０００１】
本発明は、カード取扱装置に設けられ、順次搬送されてくる所定形状のカードを所定枚数集積するカード集積装置に関する。
【背景技術】
【０００２】
近年、磁気情報やＩＣチップ情報などを内蔵したプラスチック製のカードが、個人情報媒体や経済価値媒体として多用されている。この種のカードは国際標準化されており、一般には厚さ０．７６ｍｍの塩ビカードが用いられている。このようなカードは、通常の外力では曲がり難い剛体と考えられる。したがって、カード処理機は、カードを変形させることなく直線に搬送するようにしている。
【０００３】
ここで、ＡＴＭのカードリーダのように、カードに対して、単純に磁気情報をリード・ライトする程度の装置であれば、その搬送を直線としてもその距離は長くならない（例えば、特許文献１参照）。
【０００４】
しかしながら、カードは前述のように各種分野で用いられており、近年、同一サイズのカードにそれぞれ異なる貴金属の埋め込みを施したり絵画デザインを表記し、それら貴金属や絵画デザインの価値情報を記録して取り扱うシステムが考えられている。このようなカードを取り扱う装置では、カード情報の読取や読取結果に応じた分類収納などの多くの機能が必要となり搬送路も長くなる。また、このようなカードの取扱装置は、カード使用者に対して対面型に構成しなければならず、狭いスペース中に長い搬送路を確保しなければならない。さらに、カードの変形やカード詰まり等の不具合は確実に阻止しなければならない。
【０００５】
このような問題に対し、本件出願人はカードの搬送路をＺ字形に折り返し形成し、剛体であるカードを曲げ変形することなく搬送処理し、しかも、コンパクトなユニットとして構成しているカード取扱装置を、特願２００４−１６０９１９により提案した。
【０００６】
この装置は直線状を成す搬送手段をＺ字形に構成し、搬送途中においてカードから情報を読取り、この読取った情報に従って各カードを対応するカード集積装置内に分類収納している。この場合、カード集積装置は、カードの種類毎に設けられる。例えば、カードの種類が５種類であれば、５つのカード集積装置が、Ｚ字形に構成された搬送手段の後端部分に1列に並設され、搬送手段により搬送されてくるカードは、順次対応するカード集積装置内に分離収納される。
【特許文献１】特開平１０−４０４４１号公報
【発明の開示】
【発明が解決しようとする課題】
【０００７】
このような装置では、多量のカードを連続処理できることが望まれており、カード集積装置は前述のように複数個並設されるので、その設置スペースが大きくならないように小形であることが望ましい。また、１つのカード集積装置では１５００枚程度のカードを収納できるが、業務中にしばしば満杯になってしまう。この場合、満杯となったカード集積装置を交換しなければならない。このため、カード集積装置は、カード取扱装置本体側から容易に分離でき、かつ容易に取り付けられる構成であり、更に、取り外し後の取扱が容易で、しかも、セキュリティ上も適切に管理できることが望まれる。
【０００８】
本発明の目的は、大きな設置スペースを要せず、取り扱いが容易で、セキュリティ上も適切に管理可能なカード集積装置を提供することにある。
【課題を解決するための手段】
【０００９】
本発明のカード集積装置は、カード取扱装置に設置され、この装置により取り扱われるカードを集積するカード集積装置であって、所定形状の前記カードを傾斜状態で所定枚数集積可能な内容積を有するケースと、このケース上部に設けられ、このケース内と前記カード取扱装置のカード搬送部との間で、カードを１枚ずつ前記傾斜方向に沿って搬送する上下一対のローラと、前記ケース内において前記カードを傾斜状態で載支するバックアッププレートと、このバックアッププレートを前記ケース内においてカードの集積枚数に応じて上下動させる上下駆動機構とを備えたことを特徴とする。
【００１０】
また、本発明のカード集積装置は、ケース上部に設けられた上下一対のローラ近くに設けられ、この一対のローラによるカード搬送路を開閉可能なシャッターを有する。
【００１１】
また、本発明のカード集積装置は、カード取扱装置からのケースの取り外しに伴いバックアッププレートの上下動をロックするロック機構を設けている。
【００１２】
また、本発明のカード集積装置は、ロック機構によるバックアッププレートのロック状態を任意に解除可能な解除機構を設けている。
【００１３】
さらに、本発明のカード集積装置は、少なくともカードの集積枚数を保存可能なメモリを実装している。
【発明の効果】
【００１４】
本発明によれば、カードを傾斜状態で集積するので占有面積が少なくなり、複数個並設しても大きな設置スペースを要しない。また、本カード集積装置へのカード投入時には、上部にある搬送ローラのみで行う事ができるため、カードに不必要な外力を加える事なくカードの消耗が少なくなる。
【００１５】
また、カードが出入りする部分にシャッターを設けることにより、カード取扱装置からの分離時、このシャッターを閉めることにより、カードの抜き取りを確実に防止でき、セキュリティ性が向上する。
【００１６】
また、カードを載支するバックアッププレートの上下駆動機構をロックすることにより、カード取扱装置から分離して運搬する際、集積されたカードの重量によりバックアッププレートが正規の位置よりずれて集積されたカードがばらばらになることを防止でき、取り扱いが容易となる。
【００１７】
このロック機構を任意に解除できるようにすると、カード取扱装置から分離した状態で内部にカードを装填することも可能になる。
【００１８】
さらに、メモリを実装することにより、集積したカードの枚数などの情報を保持でき、セキュリティ性を含めカードの管理を適切に行うことができる。
【発明を実施するための最良の形態】
【００１９】
以下、本発明によるカード集積装置（以下、スタッカと称す）の一実施の形態について、図面を用いて詳細に説明する。
【００２０】
まず、図２により、本発明のカード集積装置が設置されるカード取扱装置の概要を説明する。
【００２１】
図２において、１は装置の外郭をなす筐体で、その内部には、それぞれ破線で囲まれた第１処理部２と第２処理部３とが構成されている。
【００２２】
第１処理部２は、入口部４、受入れ用の第１搬送手段７、第１情報読取手段８、第１保留手段１０により概略構成される。入口部４は、筐体１の前面上部に配置され、常時閉の扉４ａを有する。そして、この扉４ａの開放時、所定の情報を保持した複数枚のカードＰを積層状態で受け入れる。受け入れられたカードＰは、バックアップ板５により下方に押し付けられ、ピッカー６により、１枚づつ後方の第１搬送手段７へ繰り出される。
【００２３】
第１搬送手段７は、前述のように受入れ用のもので、上下一対のローラ７ａを複数対、直線上に配置しており、これら一対のローラ７ａの回転により、ピッカー６によって１枚づつ繰り出されたカードＰを、装置の後方に向ってほぼ水平方向に直線搬送する。また、この第１搬送手段７には第１情報読取手段（例えば、磁気カードリーダ）８が設けられており、内蔵された磁気ヘッド９により、搬送途中のカードＰから保持情報を読み取る。
【００２４】
第１保留手段１０は、第１搬送手段７の搬送終端部（図示右端部）に設けられ、搬送されてきたカードＰを積層保留する。この第１保留手段１０は、積層保留されたカードを一括して次段に移送する移送手段（以下、スイーパ機構と呼ぶ）１１を備えている。
【００２５】
前記第１搬送手段７は、カードＰの搬送方向を逆方向にする逆搬送機能を有する。また、第１保留手段１０は積層保留されたカードを１枚づつ逆搬送状態の第１搬送手段７に繰り出す返却手段１２を有する。
【００２６】
また、この第１搬送手段７の前方寄り（図示左方寄り）の部分には、逆方向に搬送されたカードを搬送路上から取り出すリジェクト手段１３が設けられている。このリジェクト手段１３により搬送路上から取り出されたカードＰは、返却搬送路１４を通って筐体１の前面に設けられた返却口１５に送られる。
【００２７】
第２処理部３は、第２保留手段１６、情報読取用の第２搬送手段１８、第２情報読取手段２１、スイッチバック手段２２、収納用の第３搬送手段２４を有し、この第３搬送手段２４の下方には、本発明の対象であるカード収積装置（以下、スタッカと呼ぶ）２６が複数個設けられている。
【００２８】
第２保留手段１６は、前記第１保留手段１０に隣接されており、この第１保留手段１０から、スイーパ機構１１により一括移送されてくる積層状態のカードＰを受け入れ、このカードＰをピッカー１７により１枚づつ繰り出す。
【００２９】
第２搬送手段１８は、第２保留手段１６から、筐体１の前方（図示左方）に向って、所定の傾斜角度を保って下向きに形成された直線上に、上下一対のローラを複数対配置して構成される。この第２搬送手段１８は、各一対のローラの回転により、第２保留手段１６から繰り出されたカードＰを前方に向って所定の傾斜角度で直線搬送する。
【００３０】
また、この第２搬送手段１８は、前述のように情報読取用のものであり、搬送中間部には、磁気カードリーダなどによる第２情報読取手段２１が設けられている。そして、内蔵された磁気ヘッドにより、搬送途中のカードＰから保持情報を読み取る。さらに、この第２搬送手段１８は、カードの搬送方向を逆方向にする逆搬送機能を有し、かつ、逆方向に搬送されたカードＰを搬送路上から取り出すリジェクト手段１９を有する。このジェクト手段１９でリジェクトされたカードＰはリジェクト箱２０内に貯留される。
【００３１】
スイッチバック手段２２は、第２搬送手段１８の搬送終端部に設けられた回動アーム２３を有し、第２搬送手段１８によって搬送されてきたカードＰの上面を叩き、このカードＰを第３搬送手段２４上に載置させる。第３搬送手段２４は、筐体１内の前面側（図示左方）から後方(図示右方)に向うほぼ水平な直線上に、上下一対のローラを複数対配置したもので、スイッチバック機構２２の回動アーム２３により載置され、搬送方向が変向されたカードＰを、後方に向ってほぼ水平に搬送する。
【００３２】
スタッカ２６は、第３搬送手段２４に沿って複数個（図の例では５個）設けられ、この第３搬送手段２４により搬送されてくるカードＰを、第２の情報読取手段２１による読取結果に基づいて搬送路から取り出し、積層集積する。
【００３３】
第３搬送手段２４の搬送路上からカードＰを取り出す手段として、各スタッカ２６の搬送方向前方（図示左方）の位置には、ゲート機構をそれぞれ設けている。すなわち、スタッカ２６の搬送方向前方に、楔状のゲート板２５を、その先細状先端が搬送方向と対向するように設置する。このゲート板２５の基端部は、図示しないロータリアクチュエータの駆動軸と連結しており、作動時、ゲート板２５が搬送路上に起き上がるように、図示右回りに回動駆動される。
【００３４】
次に、本発明の対象であるスタッカ２６の詳細構成を図１を参照して説明する。スタッカ２６は、図２で説明したカード取扱装置に設置され、この装置により取り扱われるカードＰを集積するもので、図１（ａ）（ｂ）で示すように、縦長のカセット状ケース３１を有し、側面に設けた４個の保持部材３０により、カ−ド取扱装置に取り外し可能に設置される。このケース３１は、所定形状のカードＰを、図４で示すように、傾斜状態で集積するもので、このカードＰを所定枚数集積可能な内容積を有する。このケース３１の正面には、図１（ａ）で示すように、蓋３２がヒンジ３３により開閉可能に取り付けられている、この蓋３２には錠機構３５が設けられており、この錠機構３５を開錠して蓋３２を開くことにより、内部に集積されたカードＰを取り出すことができる。なお、このスタッカ２６の持ち運びを行うために取手４０が蓋３２に設けられる。
【００３５】
また、このケース３１の背面上部には、図１（ｂ）で示すように、上下一対のローラ３４が設けられている。この上下一対のローラ３４は、このケース３１内と、図２で説明したカード取扱装置のカード搬送部、すなわち、第３の搬送手段２４と対向して位置する。そして、図６で示す上部のローラ軸の面取り部３４ａにより、図２で示したカード取扱装置側の図示しない駆動機構と分離可能に連結し、回転駆動される。この上下一対のローラ３４の回転により、前記ゲート板２５により第３の搬送手段２４から分岐されたカードＰを捕らえて１枚ずつ傾斜方向に搬送し、ケース３１内に搬入させる。
【００３６】
ケース３１内には、図３および図４で示すように、バックアッププレート２８が上下駆動機構３６により上下動可能に設けられている。このバックアッププレート２８は傾斜した上面を有するブロック状のもので、上下一対のローラ３４によりケース３１内に搬入されたカードＰは、その先端がケ−ス３１内壁に接して整位板として働き、かつ、バックアッププレート２８の上部傾斜面によって図４で示すように傾斜状態で載支される。
【００３７】
上下駆動機構３６は、バックアッププレート２８をケース３１内においてカードＰの集積枚数に応じて上下動させる。この上下駆動機構３６は、図５で示すように、縦長のブラケット３７内に縦方向に設置されたガイドロッド３８（図３および図４に図示）と、同じくブラケット３７の上下に配置されたプーリ３９ａ，３９ｂとを有する。バックアッププレート２８は、これらプーリ３９ａ，３９ｂ間に掛け渡されたタイミングベルト４１に連結し、かつ、ガイドロッド３８により、上下動可能に案内支持されている。
【００３８】
ここで、下部のプーリ３９ｂは、連結機構４２により、図２で示したカード取扱装置側に設けられたモータ２７とカード取扱装置への装着に応じて連結され、このモータ２７により回転駆動される。したがって、バックアッププレート２８は、モータ２７の回転に伴い、タイミングベルト４１により上下方向に駆動され、ガイドロッド３８に案内されて上下動する。
【００３９】
ケース３１内の、カードが搬入される部分には、図示しないが光学センサが設けられており、カードＰがケース３１内に搬入されたことを検出すると、モータ（例えば、パルスモータ）２７を所定量回転させ、プーリ３９ａ，３９ｂ及びタイミングベルト４１を駆動して、バックアッププレート２８を所定高さ降下させる。この動作により、ケース３１内に搬入されたカードＰは、バックアップ板２８上に順次積み重ねられ、集積される。
【００４０】
なお、このバックアッププレート２８の動作は、カードＰがケース３１内に搬入される度に行なわれるが、もちろん数枚のカードＰが搬入される度に行なうようにしてもよい。すなわち、光学センサによりバックアッププレート２８上に集積された最上位のカードＰの傾斜上端面の高さが所定レベルに達したことを検出し、バックアッププレート２８を所定高さ（カード数枚分）下降するように設定すれば、カード数枚毎の下降動作を行うことができる。
【００４１】
ここで、１つのスタッカ２６では１５００枚程度のカードを収納できるが、業務中にしばしば満杯になってしまう。この場合、満杯となったスタッカを交換しなければならず、このスタッカ２６をカード取扱装置本体側から分離し取り外す。この取り外し状態において、スタッカ２６内に集積されたカードＰの取り出しは、セキュリティ上、特定の人が鍵を用いて蓋３２を開いて行なう。しかし、カードＰが搬入される上下一対のローラ３４部分からも抜き取りが可能なため、この部分に図６で示すようにシャッター４４を設ける。
【００４２】
すなわち、ケース３１の上部に設けられた上下一対のローラ３４の近くに、この一対のローラ３４によるカード搬送路を開閉可能なシャッター４４を設ける。このシャッター４４は縦長の舌片状のもので、一対のローラ３４によるカード搬送路に対し、上下動可能に設置されている。そして、下部に設けられたソレノイド４５とアーム４６を介して連結しており、ソレノイド４５により上下方向に駆動される。
【００４３】
すなわち、スタッカ２６をカード取扱装置本体側から取り外すときには、ソレノイド４５を動作させ、シャッター４４を高さＬ上昇させて上下一対のローラ３４間にシャッター４４を突出させる。この動作により、ケース３１内からのカードＰの飛び出しや抜き取りを確実に防止することができる。反対に、スタッカ２６がカード取扱装置本体側にセットされた場合は、ソレノイド４５が戻り動作し、シャッター４４が下降してカードＰの搬入が可能となる。
【００４４】
また、スタッカ２６をカード取扱装置から取り外して取手４０によって持ち運ぶ際、集積されたカードの重量によりバックアッププレート２８が正規の位置よりずれ、集積されたカードＰがばらばらになるおそれがある。すなわち、バックアッププレート２６の上下駆動機構３６は、図５で示した連結機構４２により、カード取扱装置側に設けられたモータ２７と分離可能に連結しているが、スタッカ２６がカード取扱装置から取り外され、連結が解除されると、バックアッププレート２８に対する拘束力がなくなるため、集積されたカードの重量によりが正規の位置よりずれてしまう。
【００４５】
そこで、バックアッププレート２８の上下動をロックするために、図７で示すようにロック機構４８を設けた。このロック機構４８は、連結機構４２と組み合わされている。すなわち、タイミングベルト４１を駆動するプーリ３９ｂには、カード取扱装置側に設けられたモータ２７と分離可能に連結する連結歯車４９が直結しており、この連結歯車４９の外周に形成された凹部４９ａに対して、ラッチ５０を係合可能に設け、このラッチ５０をソレノイド５１により作動体５２を介して駆動するように構成する。
【００４６】
すなわち、スタッカ２６側に設けられた図示しないセンサにより、スタッカ２６がカード取扱装置本体側から取り外されたことを検出してソレノイド５１を動作させ、ラッチ５０を連結歯車４９の凹部４９ａに係合させて、この連結歯車４９の回転を阻止する。このため、この連結歯車４９に直結しているプーリ３９ｂおよびタイミングベルト４１もロックされ、カードＰを載支したバックアッププレート２８が現状位置に固定される。
【００４７】
このように上下駆動機構３６をロックすることにより、スタッカ２６をカード取扱装置から分離して運搬する際、集積されたカードの重量によりバックアッププレート２８が正規の位置よりずれて集積されたカードＰがばらばらになることを確実に防止でき、運搬時における取り扱い性が格段に向上する。
【００４８】
また、スタッカ２６の使い方によっては、カード取扱装置から分離した状態で内部にカードを装填する場合がある。この場合、スタッカ２６はカード取扱装置から取り外した状態であるため、上記ロック機構４８が作動しており、このままではバックアッププレート２８が動かず、カードを装填することができない。
【００４９】
そこで、このロック機構４８を任意に解除できるように、図７で示すように解除機構５３を設けた。この解除機構５３は、ソレノイド５１とラッチ５０とを連結する作動体５２に一体に設けられた手動開放レバーにより構成される。すなわち、この手動開放レバー５３を図１（ｂ）に示す透孔窓５３から手動操作して、ラッチ５０と連結歯車４９の凹部４９ａとの噛み合いを解除することにより、バックアッププレート２８に対するロック状態が解除され、カードＰの装填が可能となる。
【００５０】
図１（ｂ）に戻って、スタッカ２６の側面には差込式のコネクタ５５が設けられ、ケース３１内の下部には、コネクタ５５と接続された基板５６が設けられている。この基板５６には不揮発性のメモリ５７や、各種の制御部品などが実装されている。コネクタ５５は、図２で示したカード取扱装置側のコネクタ（図示せず）と接続され、各種情報の授受を行なう。
【００５１】
例えば、第２の情報読取手段２１は搬送途中のカードＰから情報を読取り、カードＰの種別を判定し、対応するスタッカ２６にカードを収納させるべく、該当するゲート板２５を動作させている。したがって、第２の情報読取手段２１は、どのスタッカ２６に何枚のカードが集積されたかを把握していることになる。そこで、各スタッカ２６は、コネクタ５５を介して自スタッカ２６に何枚のカードが集積されているかの情報を入手して、これをメモリ５７に記憶させておく。
【００５２】
このように、スタッカ２６毎に集積枚数を自分のメモリ５７に記憶させておけば、スタッカ２６をカード取扱装置側から取り外して所定の処理を行う際にも、各スタッカ２６の状態を容易に把握でき、確実な管理を行うことができる。もちろん、集積枚数だけでなく、カードの種別など、各種の情報を入手してメモリ５７に記憶させてもよい。
【００５３】
次に、全体的な動作を説明する。複数種類のカード、例えば、５００，１０００，２０００，５０００，１００００円の５種の額面のカードが有る場合、これらカードをランダムに多数有する使用者は、この多数のカードＰを、入口部４に投入する。例えば、この入口部４は、積層状態のカードＰを５０枚一括受け入れできるものとする。
【００５４】
使用者は、筐体前面の図示しない操作部を操作して入口部４の扉４ａを開け、積層状態のカードＰを一括投入する。一括投入後、バックアップ板５が下降し、積層されたカードＰの上面を押圧する。
【００５５】
この状態でピッカー６が作動し、積層状態のカードを１枚づつ第１搬送手段７に繰り出す。第１搬送手段７は、図示しないパルスモータによって上下一対のローラ７ａを回転駆動するもので、入口部４から繰り出されたカードＰを、装置後方に向って伸延した水平搬送路上にて往復搬送可能である。この第１搬送手段７は、通常は正転搬送を行い、搬送途中に設けられたカードリーダ８により、カードＰに保持された情報を読み出す。読み出された情報が適正であったカードＰはそのまま搬送され、第１保留部１０内に集積される。
【００５６】
この読取結果が、読取不能や不適正情報であった場合は、第１搬送手段７のパルスモータを一端停止した後、逆転させ、逆搬送状態とする。さらに、リジェクト手段１３を動作させ、逆搬送されてくるカードを搬送路上から取り出し、返却搬送路１４を通って返却口１５に返却させる。
【００５７】
このようにして入口部４に投入されたカードＰを順次繰り出し、入口部４にカードがなくなると、図示しない残留検知センサが残留無しを検知し、ピッカー６による繰り出しを停止する。
【００５８】
第１保留部１０へのカード集積が終了すると、集積されたカードについて、カードリーダ８が読み取った情報の内容を、筐体１前面の図示しない表示部に表示し、利用者の確認を得る。すなわち、読み取った額面金額の総額や、各種別の枚数などを表示する。この結果、例えば、利用者が意図した額面総額と読み取られた額面総額とが異なる場合など、利用者は「確認ＮＯ」のボタンを押下する。
【００５９】
「確認ＮＯ」のボタンが押下されると、第１保留部１０に集積されたすべてのカードＰを返却口１５に返却する。すなわち、第１搬送手段７を逆搬送状態にし、リジェクト手段１３を動作状態にする。そして、返却手段１２により、積層上部からカードＰを１枚づつ、逆搬送状態の第１搬送手段７に繰り出す。このため、カードＰはリジェクト手段１３により搬送路から取り出され、返却搬送路１４を通って返却口１５に返却する。
【００６０】
これに対し、利用者が「確認ＯＫ」のボタンを押下するとスイーパ機構１１が動作し、第１保留部１０に集積されたカードＰを一括して図示右方に押し出し、隣接した第２保留部１６内に一括して移送する。
【００６１】
第２処理部３の第２保留部１６内に約１５度傾斜した状態で集積されたカードは、ピッカー１７により１枚づつ第２搬送手段１８に繰り出される。繰り出されたカードは、第２搬送手段１８により前方に向って斜め下方に搬送される。また、搬送途中においてカードリーダ２１により、保持された情報が読み出される。読み出された情報が適正であれば、そのまま順方向に搬送される。
【００６２】
これに対し、読み取った情報が不適正であったり、読取不能の場合は、第２搬送手段１８による搬送を一旦停止後、逆搬送状態にし、リジェクト手段１９を動作させてカードをリジェクト箱２０内にリジェクトする。このリジェクト動作後、次のカードが第２保留部１６から繰り出される。
【００６３】
順方向に搬送された適正なカードは、スイッチバック手段２２により第３搬送手段２４にスイッチバックされる。
【００６４】
第３搬送手段２４に対しては、その搬送方向に沿って複数のスタッカ２６が設けられており、かつ、これらスタッカ２６に対応してそれぞれゲート板２５が設けられているので、各スタッカ２６には、該当する種類のカードＰが選別されて収納される。すなわち、搬送されてくるカードの種類は、カードリーダ２１により読み取られているので、そのカードの種類に該当するスタッカ２６のゲート板２５を開いておく。このため、対応するカードは、この開いたゲート板２５により搬送路上から図示斜め右下方に取り出される。そして、該当するスタッカ２６の上部に設けられた上下一対のローラ３４に捕らえられ、その回転によりケース３１内に搬入され、バックアッププレート２８上に集積される。
【００６５】
ここで、第３搬送手段２４からゲート板２５により取り出されたカードＰは、該当するスタッカ２６に対して、斜方向に繰り出され、スタッカ２６の上部に設けられた上下一対のローラ３４により、スタッカ２６内へ斜め方向に搬入され、上面が傾斜したバックアッププレート２８上に集積される。このように、カードＰを斜め方向に集積するため、スタッカ２６の占有面積を小さくすることができる。したがって、図２のようにスタッカ２６を複数個並設しても、大きな設置スペースを要することはなく、省スペース化を図ることができる。また、カードＰをスタッカ２６内に斜めに搬入するため、スタッカ２６の内壁面が整位板として機能し、集積状態を整えることができる。
【００６６】
また、図６で示したように、スタッカ２６のカードＰが出入りする上下一対のローラ３４間にシャッター４４を設け、スタッカ２６をカード取扱装置からの分離したとき、このシャッター４４を閉めることにより、カードＰの抜き取りを確実に防止でき、セキュリティ性が向上する。
【００６７】
また、カードＰを載支するバックアッププレート２８の上下駆動機構３６をロックするロック機構４８を設け、スタッカ２６をカード取扱装置から分離して運搬する際、このロック機構４８によりバックアッププレート２８を固定する。このため、集積されたカードの重量によりバックアッププレート２８が正規の位置よりずれて集積されたカードがばらばらになることを防止でき、運搬時における取り扱いが容易となる。
【００６８】
また、このロック機構４８を解除機構５３により任意に解除できるようにすると、スタッカ２６をカード取扱装置から分離した状態で内部にカードを装填することも可能になる。
【００６９】
さらに、メモリ５７を実装することにより、カードＰの集積枚数などの情報を保持でき、セキュリティ性を含めカードの管理を適切に行うことができる。
【００７０】
上記実施の形態では、スタッカ２６は、第３搬送手段２４からゲート板２５により取り出され、上下一対のローラ３４により搬入されるカードＰを集積する場合を説明したが、各部の回転方向および搬送方向を逆向きにすることにより、スタッカ２６内に集積されたカードＰを１枚ずつ繰り出す用途にも用いることができる。この場合、スタッカ２６内に集積されたカードのうち、最上部のカードを上下一対のローラ３４に向って繰り出すためにはピッカーを用いればよい。すなわち、図１（ａ）で示したスタッカ２６の上面カバーに設けたスリット２６ａを通してピッカーの作動子を挿入し、スタッカ２６内に集積された最上部のカードＰを１枚ずつ繰り出すように構成すればよい。
【図面の簡単な説明】
【００７１】
【図１】本発明によるカード集積装置の一実施の形態を示しており、（ａ）は正面側の斜視図、（ｂ）は背面側の斜視図である。
【図２】図２は本発明のカード集積装置が用いられるカード取扱装置を示す構成図である。
【図３】前記一実施の形態におけるカード集積装置の内部構成図である。
【図４】同上一実施の形態におけるカード集積装置のカード集積状態を示す内部構成図である。
【図５】同上一実施の形態における上下動機構を示す斜視図である。
【図６】同上一実施の形態における上下一対のローラとシャッターとの関係を示す拡大部分図である。
【図７】同上一実施の形態における連結機構とロック機構と解除機構との関係を表す斜視図である。
【符号の説明】
【００７２】
２４    カード取扱装置の搬送部
２６    カード集積装置（スタッカ）
２８    バックアッププレート
３１    ケース
３４    上下一対のローラ
３６    上下駆動機構
４８    ロック機構
５３    解除機構
５７    メモリ
【図１】
2006137520.tif 000003
【図２】
2006137520.tif 000004
【図３】
2006137520.tif 000005
【図４】
2006137520.tif 000006
【図５】
2006137520.tif 000007
【図６】
2006137520.tif 000008
【図７】
2006137520.tif 000009